(57)【要約】【課題】第一に、より簡単な構成で支障のない外観を備えると共に、水道管へ当該活性化器具を容易かつ迅速に　しかも磁石材を確実に対向するように固定することができること、第二に、水道管の外径の違いがあっても器具を容易に装着することができる磁化活性化水発生器を提供することである。【解決手段】磁化活性水発生器１０は、水道管５の管壁の周囲に磁場を形成するように一対の磁石材６が対設され、その磁場の照射を水道管５内で流水する水道水がその流れ方向に直交して受けるようにし、さらに、各磁石材６が水道管５の内径の向きへ付勢して設けられていると共に、磁化活性水発生器の端面部に水道管５用の大径の孔２０ｅとこの大径の孔２０ｅに近接して小径の孔２３ａとを有する扉部材２３が付勢して設けられていることを特徴とする。【選択図】図７
2004114033.tif 000002
【特許請求の範囲】
【請求項１】
　略筒状をなす器具本体の軸心に水道管を挿通させうる孔部が形成されるとともに、この器具本体に一対の磁石材が上記孔部を挟んで対称となるように内装され、これら磁石材による磁場が、上記水道管内の水道水の流れ方向に対して直交するように照射される磁化活性水発生器であって、
　上記器具本体は、軸心を通る平面で二分割された一対の半割体同士を結合して形成され、各半割体の内側にそれぞれ磁石材が内装されたことを特徴とする磁化活性水発生器。
【請求項２】
　両半割体は、一方の側縁部にて互いに接続されるとともに、他方の側縁部近傍にそれぞれ設けられた係合突起部を係合させることにより、略筒状に結合されることを特徴とする請求項１に記載の磁化活性水発生器。
【請求項３】
　略筒状に合体させた半割体の外側に、両半割体に跨がるようにして嵌め合わせ部材を嵌装させることにより、両半割体が略筒状に結合されることを特徴とする請求項１に記載の磁化活性水発生器。
【請求項４】
　嵌め合わせ部材は、合体させた両半割体に対し、軸心と平行する方向に摺動して嵌装されることを特徴とする請求項３に記載の磁化活性水発生器。
【請求項５】
　各半割体の内側に内装された磁石材が、孔部に挿通される水道管の周面に対して押圧状態で当接するように、付勢手段を介して支持されていることを特徴とする請求項１記載の磁化活性水発生器。
【請求項６】
　磁石材の付勢手段が湾曲した板バネであることを特徴とする請求項５に記載の磁化活性水発生器。
【請求項７】
　器具本体の端面部に大径の孔が形成されるとともに、大径の孔の内側には、合わせ状態で小径の孔を形成する一対の扉部材が内装され、この扉部材が、上記小径の孔を縮径する方向に付勢された状態で支持されていることを特徴とする請求項１に記載の磁化活性水発生器。
【発明の詳細な説明】
【技術分野】
【０００１】
　本発明は、水道管内を流れる水道水に対して一定の磁場を作用させることにより水道水を活性化する磁化活性水発生器に関するものである。
【背景技術】
【０００２】
　水道管内を流動する水道水に対して磁石材による磁場を作用させると、水道水が活性化されることが知られている。これは、水道水中に形成されているクラスターという水分子集団に磁場を照射してエネルギーを与えると、クラスターが細かく分解されて、運動エネルギーが高まることによるものである。こうして活性化された水は、浸透圧が高くなって、保水力が向上したり、飲みやすくなったりする等の効果が得られる。
【０００３】
　このような原理を利用した従来の磁化活性水発生器としては、水道管に対して容易に取り付けることができるように、器具本体を弾力ゴム層で筒状に構成し、この弾力ゴム層内に複数の磁石材を内装したものが知られている（例えば特許文献１参照）。各磁石材は、水道管の周壁面に正対するように配置され、水道水の流水方向に直交して磁場を照射することにより、水道水を効率的に活性化するようになっている。
【０００４】
　この器具における弾性ゴム層の側面には、その長手方向に沿ってスリットが設けられており、このスリットを押し開いて内側に水道管を嵌め込むことにより、器具本体が水道管に固定される。固定された状態では、内装された各磁石材が水道管の周壁面に磁場を生じさせて、その磁力が水道管内の水道水に作用し、水道水を定常的に活性化することができる。
【特許文献１】実用新案登録第３０６４５７２号
【発明の開示】
【発明が解決しようとする課題】
【０００５】
　上記特許文献１に開示されている磁化活性水発生器によれば、器具本体のスリット内に水道管を嵌め込む操作だけで容易に固定できるから、水道管への固定作業は極めて簡単に行なうことができる。しかしながら、水道管への固定が弾性ゴム層の弾性力に依存しているので、水道管への固定状態が不安定になるおそれがある。
【０００６】
　また、各磁石材が弾性ゴム層に内装されているので、各磁石材の位置関係が弾性ゴム層の変形により必ずしも一定に維持されず、各磁石材を水道管に対して正確に正対させることが困難になることもある。すると、各磁石材の間に発生する磁場の磁束密度が不均一となり、水道水を活性化する能力が低下する可能性がある。
【０００７】
　さらに、器具本体を水道管へ取り付ける作業が繰り返されると、弾性ゴム層におけるスリットの開きが次第に甘くなるから、水道管への固定状態が低下するおそれもある。水道管の外径に違いがある場合も、水道管への固定状態にばらつきが生じ、さらには各磁石材の位置関係も変化する。これでは、水道管に取り付けた時に各磁石材による磁場を安定して生じさせることが困難になる。
【０００８】
　従来の磁化活性水発生器には、上記のような構造ではなく、器具本体をボルト・ナット等のような特別な固定部材で水道管に固定するようにしたものも存在する。しかし、このような特別な固定部材を利用する場合、器具全体の外観構成が複雑あるいは無骨になり、水道管への装着作業にも手間や長時間を要するという不便がある。
【０００９】
　そこで、本発明は、より簡単な構成ですっきりした外観を備えると共に、水道管に対して当該器具を容易かつ迅速に固定することができ、しかも磁石材を水道管の周壁面に向かって精度良く正対させることのできる磁化活性水発生器を提供することを解決課題とする。併せて本発明は、水道管の外径に違いがあっても、器具本体を確実に、かつ容易に固定することのできる磁化活性化水発生器を提供することを解決課題とする。
【課題を解決するための手段】
【００１０】
　上記した目的を達成するため、本発明の磁化活性水発生器は、略筒状をなす器具本体の軸心に水道管を挿通させうる孔部が形成されるとともに、この器具本体に一対の磁石材が上記孔部を挟んで対称となるように内装され、これら磁石材による磁場が、上記水道管内の水道水の流れ方向に対して直交するように照射される磁化活性水発生器であって、上記器具本体は、軸心を通る平面で二分割された一対の半割体同士を結合して形成され、各半割体の内側にそれぞれ磁石材が内装されたことを特徴とする。
【００１１】
　この構成によれば、水道管を挟んで半割体同士を略筒状に結合することにより、器具本体が水道管に対して安定的に取り付けられる。そして、各半割体の内側に磁石材を内装することにより、磁石材が水道管を挟んで対称となる位置に精度良く保持され、水道管の周囲に安定した磁場が形成される。各磁石材は、その形状は問わないが、直方体形状であることが好ましい。各磁石材が直方体形状である場合、その厚みに応じてその対向面で一定の磁場を生じるさせることができるからである。
【００１２】
　水道管の管材としては、一般的な鋳物材やポリ塩化ビニル等の樹脂管等、周囲からの磁場の影響を受けることが少ないものであることが好ましい。また、水道管内における水道水の流水速度としては、周囲から磁場の作用を効果的に受けることができる速度範囲、例えば約１８〜２０リットル／分程度であればよい。水道水の流速によって磁場の作用時間に違いがあることを考慮して、水道水の流速は適宜調整できるようにされていてもよい。
【００１３】
　器具本体を構成する両半割体については、一方の側縁部にて互いに接続されるとともに、他方の側縁部近傍にそれぞれ設けられた係合突起部を係合させることにより、略筒状に結合されるようになっていてもよい。これによると、水道管への取り付けが極めて簡単になる。
【００１４】
　また、略筒状に合体させた半割体の外側に、両半割体に跨がるようにして嵌め合わせ部材を嵌装させることにより、両半割体が略筒状に結合されるようになっていてもよい。
【００１５】
　さらに、この嵌め合わせ部材は、合体させた両半割体に対し、軸心と平行する方向に摺動して嵌装されるように形成されるのが好ましい。
【００１６】
　この発明によると、両半割体の結合が強固になり、水道管への取り付け状態がさらに安定する。また、ボルトやネジなどを使用しなくても器具本体を結合することができるので、工具類も不要であり、家庭の主婦でも簡単に着脱作業を行うことができる。
【００１７】
　また、本発明の磁化活性水発生器においては、各半割体の内側に内装された磁石材が、孔部に挿通される水道管の周面に対して押圧状態で当接するように、付勢手段を介して支持されていてもよい。これにより、水道管内の水道水に対して最も効果的に磁場を作用させることができる。
【００１８】
　上記磁石材の付勢手段としては、湾曲した板バネを利用することができる。かかる板バネとしては、例えば中央部が半割体の内面に接して、両端部が磁石材を軸心方向に押圧するような形状のものである。
【００１９】
　ところで、この種の磁化活性水発生器が固定される水道管の一般的な外径としては、９ｍｍ乃至１６ｍｍの範囲で複数の種類がある。本発明の磁化活性水発生器は、これら外径の異なる水道管にもそれぞれ対応して取り付けられるように構成される。
【００２０】
　すなわち、本発明の磁化活性水発生器は、器具本体の端面部に大径の孔が形成されるとともに、大径の孔の内側には、合わせ状態で小径の孔を形成する一対の扉部材が内装され、この扉部材が、上記小径の孔を縮径する方向に付勢された状態で支持されていることを特徴とする。
【００２１】
　大径の孔は、例えば１６ｍｍφの管径に対応し、小径の孔は、例えば９ｍｍφの管径に対応する。小径の孔を形成する一対の扉部材は、合わせ状態で略円形の丸孔をなすように形成され、個々の扉部材が中心方向に付勢された状態で支持される。９ｍｍφよりも大径の水道管を挿通させるときには、付勢手段に抗して両扉部材を外方に押し開くことにより、外径の異なる水道管に対しても、磁化活性水発生器を確実に取り付けることができる。扉部材の付勢手段については、上記磁石材を付勢する板バネと同様のものを利用することができる。これらの付勢手段は一体的に形成されていてもよい。
【発明の効果】
【００２２】
　上述のように構成される本発明の磁化活性水発生器によれば、対象とする水道管の周囲に簡単に装着し、しかも水道管の周囲に安定してその磁化活性水発生器を固定することができる。さらに、器具本体に内装する各磁石材を互いに直面させることにより均一で安定した磁場を生じさせ、半永久的に良好な磁化活性水を得ることができる。
【００２３】
　また、本発明の磁化活性水発生器は、対象とする水道管の管径に違いがある場合でも、容易に装着できるように構成されるので、管径の異なる複数種類の水道管や、取り付け位置に応じて管径が異なる水栓設備に対しても、容易に取り付けることができる。
【発明を実施するための最良の形態】
【００２４】
　以下、本発明の磁化活性水発生器の実施の形態を図面を参照しつつ説明する。
【実施例１】
【００２５】
　図１〜図５は本発明の第一の実施例を示す。この磁化活性水発生器１は、略円筒形状をなす器具本体２の軸心に水道管５が挿通されるようになっている。器具本体２は、その軸心を通る平面で二分割された対称形状の半割体２Ａ及び２Ｂを結合することにより形成される。各半割体２Ａ、２Ｂは、それぞれ凹形断面を有する外殻部２ａと、外殻部２ａの両端にそれぞれ形成された端面部３ａ及び３ｂとを備えている。両半割体２Ａ，２Ｂは、各外殻部２ａの一側縁に形成された薄肉の折曲部材２ｃを介して接続されており、折曲部材２ｃを折りまげることにより開閉することができる。各外殻部２ａの他側縁には、両半割体２Ａ，２Ｂを閉じ合わせたときに互いに嵌合しうる凹凸部２ｂが形成されている。
【００２６】
　各半割体２Ａ，２Ｂの端面部３ａ，３ｂには、半割体２Ａ，２Ｂ同士を閉じ合わせたときに円形となる孔２ｅがそれぞれ形成されている。孔２ｅの径は、一般的な水道管５の外径（９ｍｍφ又は１６ｍｍφ）に適合する寸法になっている。したがって、両半割体を２Ａ，２Ｂを開いた状態で、そのうち一方の孔２ｅを水道管５に当てがい、両半割体２Ａ，２Ｂを閉じ合わせると、器具本体２を水道管５に対し、両者の軸方向を一致させた状態で容易に装着することができる。
【００２７】
　各半割体２Ａ，２Ｂの外殻部２ａには、軸方向と平行する溝部２ｇ及び突出縁部２ｆが形成されている。溝部２ｇ及び突出縁部２ｆは、両半割体２Ａ，２Ｂの合わせ面を挟んで略対称となるように、二組ずつ形成されている。溝部２ｇの一端は、半割体２Ａ，２Ｂの一方の端面部３ａ側に向かって開口しており、溝部２ｇの他端は他方の端面部３ｂに当接して塞がれている。
【００２８】
　この器具本体２は、水道管５に装着された後、両半割体２Ａ，２Ｂに跨がるようにして、嵌め合わせ部材４を嵌装させることにより結合される。嵌め合わせ部材４は、略円弧状の断面を有し、両側縁部には、上記溝部２ｇ及び突出縁部２ｆに係合しうる爪縁４ａがそれぞれ形成されている。そして、図４〜図５に示すように、閉じ合わせた半割体２Ａ，２Ｂの一方の端面部３ａ側から嵌め合わせ部材４を嵌装し、他方の端面部３ｂ側に向けて軸方向に摺動させることにより、半割体２Ａ，２Ｂが筒状に連結固定される。このようにして、ボルト・ナットや特別な工具類等を使用しなくとも、容易かつ確実に器具本体２を水道管５に固定することができる。
【００２９】
　各半割体２Ａ，２Ｂは、外殻部２ａの内側に、磁石材６を保持するための仕切り２ｄ及び支持桟２ｈを備えている。これらによって外殻部２ａの物理的強度が高められるとともに、磁石材６が各外殻部２ａの内部に安定的に保持される。
【００３０】
　磁石材６は、直方体形状をなし、その表面が水道管５の外面に対して正対するように保持される。磁石材６の厚みや支持桟２ｈの寸法を適切に設計して、図４に示すように磁石材６の表面と孔２ｅの位置を合致させることにより、器具本体２が水道管５の周囲に装着されたときに、磁石材６を水道管５の外面にちょうど当接させることができる。このような状態で各磁石材６を保持すれば、各磁石材６の間に均一かつ最大限の磁場を得て、その磁場を水道管５内の流水方向と直交するように照射することができるので、水道水が効果的に活性化される。
【実施例２】
【００３１】
　図６〜図１０は本発明の第二の実施例を示す。この形態に係る磁化活性水発生器１０は、水道管５の外径が異なる場合でも、その外径の違いに容易に対応して取り付けられるように構成されたものである。この形態では、器具本体２０が、上記第一の実施例に係る磁化活性水発生器１とは若干、構造の異なる半割体２０Ａ，２０Ｂによって構成される。
【００３２】
　各半割体２０Ａ，２０Ｂは、それぞれ略半円筒状の外殻部２０ａと、外殻部２ａの両端にそれぞれ形成された端面部２０ｂとを備えている。両半割体２０Ａ，２０Ｂは、各外殻部２０ａの一側縁に形成された薄肉の折曲部材２０ｃを介して閉じ合わせ可能に接続されている。各外殻部２０ａの他側縁には、折曲部材２ｃを折りまげて閉じ合わせたときに係合し合う係合突起部２０ｊが形成されている。端面部２０ｂには、半割体２０Ａ，２０Ｂ同士を閉じ合わせたときに円形となる孔（大径の孔）２０ｅがそれぞれ形成されている。孔２０ｅの径は、この器具本体２０を取り付けうる水道管５の最大外径（例えば１６ｍｍφ）に適合する寸法になっている。
【００３３】
　各半割体２０Ａ，２０Ｂの内側には、図７〜図９に示すように、側面視略円弧状に湾曲した板バネ２４からなる付勢手段が内装されている。この板バネ２４は、幅の広い中央部２４ａと、幅の狭い両端部２４ｂとを備え、これらが帯状の連結部２４ｃを介して一体に連結されている。中央部２４ａは、仕切り２０ｄの内側に挿入されて、磁石材６を水道管５の周壁に向かって押圧する作用をなす。また、両端部２４ｂは、各半割体２０Ａ，２０Ｂの端面部に設けられた扉部材２３を縮径方向に付勢する作用をなす。
【００３４】
　扉部材２３は、対をなす半扇形の二部材が合わせ状態で略円形となり、その中央に上記端面部２０ｂに形成された大径の孔２０ｅよりも小径の孔２３ａが開口するようになっている。扉部材２３の外縁部は板バネ２４の両端部２４ｂに当接して、合わせ方向に付勢されている。小径の孔２３ａの径は、この器具本体２０を取り付けうる水道管５の最小外径（例えば９ｍｍφ）に適合する寸法になっている。
【００３５】
　このような構成により、図１０に示すように、扉部材２３に形成された小径の孔２３ａは、水道管５の外径に応じて拡縮可能となり、小径の孔２３ａの最小径（上記の例では９ｍｍφ）から大径の孔２０ｅ（同、１６ｍｍφ）までの範囲の水道管５に取り付け可能となる。そして、外径の異なる水道管５に取り付けた場合でも、図９に示すように、磁石材６が板バネ２４の中央部ａによって水道管５の管壁に押圧されるので、常に良好な状態の磁場が得られる。
【図面の簡単な説明】
【００３６】
【図１】本発明の第１の実施例に係る磁化活性水発生器の側面図である。
【図２】本発明の第１の実施例に係る磁化活性水発生器の器具本体を開いたときの縦断側面図である。
【図３】本発明の第１の実施例に係る磁化活性水発生器における器具本体の縦断正面図である。
【図４】本発明の第１の実施例に係る磁化活性水発生器の縦断側面図である。
【図５】本発明の第１の実施例に係る磁化活性水発生器の結合方法を示す斜視図である。
【図６】本発明の第２の実施例に係る磁化活性水発生器の器具本体部分の斜視図である。
【図７】本発明の第２の実施例に係る磁化活性水発生器の縦断正面図である。
【図８】本発明の第２の実施例に係る磁化活性水発生器における付勢手段の斜視図である。
【図９】本発明の第２の実施例に係る磁化活性水発生器における付勢手段の作用説明図である。
【図１０】本発明の第２の実施例に係る磁化活性水発生器における扉部材の拡縮状態を説明する側面図である。
【符号の説明】
【００３７】
１　磁化活性水発生器
２　器具本体
２Ａ、２Ｂ　半割体
２ａ　外殻部
２ｂ　端縁部
２ｃ　折曲部
２ｄ　仕切り
２ｅ　孔
２ｆ　突出縁部
２ｇ　溝部
２ｈ　支持桟
３　端面部
４　嵌め合わせ部材
５　水道管
６　磁石材
１０　磁化活性水発生器
２０　器具本体
２０Ａ、２０Ｂ　半割体
２０ａ　端面部
２０ｅ　大径の孔
２３　扉部材
２３ａ　小径の孔
２４　板バネ
２４ａ　中央部
２４ｂ　両端部
２４ｃ　連結部
【図１】
2004114033.tif 000003
【図２】
2004114033.tif 000004
【図３】
2004114033.tif 000005
【図４】
2004114033.tif 000006
【図５】
2004114033.tif 000007
【図６】
2004114033.tif 000008
【図７】
2004114033.tif 000009
【図８】
2004114033.tif 000010
【図９】
2004114033.tif 000011
【図１０】
2004114033.tif 000012